(57)【要約】      （修正有）【課題】裁断した板紙を散乱させず積重ね可能な板紙積重ね装置を提供する。【解決手段】転送台１０と、前輸送ベルトユニット２０と、後輸送ベルトユニット３０と、傾斜装置４０と、昇降台５０と、止め板６０とからなる。前記転送台は裁断し終えた板紙を受け取って後ろ側へ移動させる。前輸送ベルトユニット２０は第一輸送ベルト２１と第二輸送ベルト２２とからなり、第一輸送ベルト２１は転送台１０と接続され、第二輸送ベルト２２は第一輸送ベルト２１末端と接続される。後輸送ベルトユニット３０は第三輸送ベルト３１と第四輸送ベルト３２とからなる。板紙は前輸送ベルトユニット２０と後輸送ベルトユニット３０を経由した後、少なくとも一つの板紙の山を形成する。第四輸送ベルト３２末端と、板紙の山を載せていない昇降台５０の平面、或いは昇降台５０に載せられた板紙の山の頂端は、決められた高度差を維持する。板紙の山を載せた昇降台５０は、最下部まで徐々に下降する。【選択図】図１
0003189717.tif 000002
【実用新案登録請求の範囲】
【請求項１】
裁断し終えた板紙を運搬するために用いられるとともに、転送台と、前輸送ベルトユニットと、後輸送ベルトユニットと、傾斜装置と、昇降台と、止め板とからなる、板紙積重ね装置であって、
前記転送台は、裁断し終えた板紙を受け取って後ろ側へ移動させるために用いられ、
前記前輸送ベルトユニットは、第一輸送ベルトと、第二輸送ベルトとからなり、
前記第一輸送ベルトは、前記転送台と接続されるとともに、前記第一輸送ベルトは末端が前端よりも高い傾斜状を呈し、
前記第二輸送ベルトは、前記第一輸送ベルト末端と接続されるとともに、第二輸送ベルトは末端が前端よりも高い傾斜状を呈し、且つ輸送速度が前記第一輸送ベルトよりも遅く、
前記後輸送ベルトユニットは、第三輸送ベルトと、第四輸送ベルトとからなり、
前記第三輸送ベルトは、前記第二輸送ベルト末端に設けられ、
前記第四輸送ベルトは、前記第三輸送ベルト末端と接続され、且つ輸送速度が前記第三輸送ベルトよりも速く、
前記前輸送ベルトユニットと前記後輸送ベルトユニットを経過した板紙は、少なくとも一つの板紙の山を形成し、
前記傾斜装置は、前記第三輸送ベルト及び前記第四輸送ベルトの傾斜角度を制御するために、前記第三輸送ベルト及び前記第四輸送ベルトと接続され、
前記昇降台は、前記第四輸送ベルト末端に隣接するとともに、昇降機構と結合されることにより上下に可動に設けられ、
前記止め板は、前記昇降台上方に設けられるとともに、前記昇降台と相対して前後或いは上下に可動に設けられ、
以上の構造により、
前記第四輸送ベルト末端と、板紙の山を載せていない前記昇降台の平面、或いは前記昇降台に載せられた板紙の山の頂端との間は、決められた高度差に保たれ、
前記昇降台は、板紙の山を載せた時、徐々に下降し、前記昇降台の最下部に達するまで下降を続けることを特徴とする、板紙積重ね装置。
【請求項２】
前記昇降台は、さらに前後移動機構を有し、
前記前後移動機構は、駆動器と、レールユニットとからなり、
前記駆動器は、前記昇降台と結合され、
前記レールユニットは、前記昇降台下方に設けられ、
前記昇降台は、前記駆動器に押し引きされるとともに、前記レールユニットに沿って可動に設けられることを特徴とする、請求項１に記載の板紙積重ね装置。
【請求項３】
前記第四輸送ベルトは、さらに移動歯車フレームと、滑車ユニットと、紙出力歯車ユニットと結合され、
前記移動歯車フレームは、前記第四輸送ベルト末端に、前後に可動に設けられ、
前記滑車ユニットは、その周囲に前記第四輸送ベルトの輸送ベルトが設けられるとともに、前固定滑車と、後固定滑車と、第一滑車と、第二滑車とからなり、
前記前固定滑車と前記後固定滑車は、それぞれ前後の両端に固定して設けられ、
前記第一滑車及び前記第二滑車は、前記移動歯車フレームに設けられ、
前記紙出力歯車ユニットは、前記移動歯車フレームに設けられるとともに、前記第一滑車と隣接することを特徴とする、請求項１に記載の板紙積重ね装置。
【請求項４】
前記傾斜装置は、さらに第一昇降装置と、第二昇降装置とからなり、
前記第一昇降装置は、前記第三輸送ベルト前端と接続され、
前記第二昇降装置は、前記第四輸送ベルト後端と接続されることを特徴とする、請求項２または請求項３に記載の板紙積重ね装置。
【請求項５】
前記第一昇降装置は、第一昇降駆動装置と、第一歯車機構とからなり、
前記第一昇降駆動装置は、前記第一歯車機構に動力を提供するために前記第一歯車機構と接続され、
前記第一歯車機構は、第一左歯車ユニット及び第一右歯車ユニットと接続された第一同期軸を有し、
前記第一左歯車ユニットは、チェーンによって前記第三輸送ベルトの一側と接続され、
前記第一右歯車は、別のチェーンによって前記第三輸送ベルトの別の一側と接続され、
前記第二昇降装置は、第二昇降駆動装置と、第二歯車機構とからなり、
前記第二昇降駆動装置は、第二歯車機構に動力を提供するために前記第二歯車機構と接続され、
前記第二歯車機構は、第二左歯車ユニット及び第二右歯車ユニットと接続された第二同期軸からなり、
前記第二左歯車ユニットは、チェーンによって前記第四輸送ベルトの一側と接続され、
前記第二右歯車ユニットは、別のチェーンによって前記第四輸送ベルトの別の一側と接続されることを特徴とする、請求項４に記載の板紙積重ね装置。
【請求項６】
前記昇降機構は、さらに４つのレールと、歯車ユニットと、駆動装置とからなり、
前記レールは、前記昇降台の外周に設けられ、
前記歯車ユニットは、前記レールと結合されるとともに、チェーンによって前記昇降台と接続され、
前記駆動装置は、前記歯車ユニットと接続されることを特徴とする、請求項５に記載の板紙積重ね装置。
【考案の詳細な説明】
【技術分野】
【０００１】
本考案は、板紙積重ね装置に関し、特に、枚数に応じた設定によって積重ねることができる、板紙積重ね装置に関する。
【背景技術】
【０００２】
現在、大部分の段ボール紙は、いずれも芯紙を成型してから、段ボール端とライナーが接着剤によって貼合されてなるとともに、後工程で指定サイズに裁断され、最後に手作業でまとめられて箱詰め或いは梱包される。上述の工程、及び梱包数の点検や積重ねは、大量の人的労力と時間を消費する。この点は、業界が積極的に改善を試みるべき欠点である。
【０００３】
本考案者は、既に２００７年１２月２６日に実用新案「板紙積重ね装置」（特許第Ｍ３３６９４８号）を申請している。この考案は、上述の問題を解決するために自動化された積重ね装置である。即ち、多段式の輸送ベルトを利用して裁断した段ボール紙を送るとともに、輸送ベルト間の速度差及び高度差によって、複数の板紙を一定の数量で交差させて重ね合せて板紙の山をなすことができる。以上により、後続における包装と運搬やしやすく、人的労力及びコストの削減が可能になる。
【０００４】
しかしながら、従来の考案は、最後に積載台に置く過程において、輸送ベルトと積載台の間に高度差があるため、輸送ベルトから積載台の上に板紙の山が落下する形態をとることとなり、このような状況下において、板紙の山が積載台に散乱しやすく、後々の整理の問題を生じていた。もし、輸送ベルトを積載台の高さに合わせて輸送した場合、開始直後における輸送ベルトの傾斜角度が大きくなり、板紙の山が輸送中にスライド移動して、分けて積重ね終えた板紙の山が再び散乱してしまうという可能性があった。
【先行技術文献】
【特許文献】
【０００５】
【特許文献１】台湾実用新案第Ｍ３３６９４８号明細書
【考案の概要】
【考案が解決しようとする課題】
【０００６】
本考案は、枚数に応じた設定によって積重ねることができる、板紙積重ね装置を提供することを目的とする。
【課題を解決するための手段】
【０００７】
本考案の板紙積重ね装置は、裁断し終えた板紙を運搬するために用いられるとともに、転送台と、前輸送ベルトユニットと、後輸送ベルトユニットと、傾斜装置と、昇降台と、止め板とからなる。前記転送台は、裁断し終えた板紙を受け取るために用いられるとともに、板紙を載せて後ろ側へ移動させる。
【０００８】
前輸送ベルトユニットは、第一輸送ベルトと、第二輸送ベルトとからなる。第一輸送ベルトは、転送台と接続されるとともに、末端が前端よりも高い傾斜状を呈する。第二輸送ベルトは、第一輸送ベルト末端と接続されるとともに、第二輸送ベルトは末端が前端よりも高い傾斜状を呈し、且つ輸送速度が第一輸送ベルトよりも遅い。後輸送ベルトユニットは、第三輸送ベルトと、第四輸送ベルトとからなる。第三輸送ベルトは、第二輸送ベルト末端に設けられる。第四輸送ベルトは、第三輸送ベルト末端と接続され、且つ輸送速度が第三輸送ベルトよりも速い。板紙は、前輸送ベルトユニットと後輸送ベルトユニットを経過した後、少なくとも一つの板紙の山を形成する。
【０００９】
傾斜装置は、第三輸送ベルト及び第四輸送ベルトと接続されて、第三輸送ベルト及び第四輸送ベルトの傾斜角度を制御する。昇降台は、第四輸送ベルト末端に隣接して設けられるとともに、昇降機構を有することにより、昇降移動を行う。止め板は、昇降台上方に設けられるとともに、昇降台と相対して前後或いは上下に移動する。このうち、第四輸送ベルト末端と、板紙の山を載せていない昇降台の平面、或いは昇降台に載せられた板紙の山の頂端は、決められた高度差を維持する。また、昇降台は板紙の山が載せられて徐々に下降し、昇降台が最下部に達するまで下降を続ける。
【００１０】
以上により、積重ね終えた板紙の山をスムーズに昇降台まで移動させることができるため、散乱発生という問題を回避できる。
【００１１】
前記昇降台は、さらに前後移動機構を有することが望ましい。
前記前後移動機構は、駆動器と、レールユニットとからなる。前記駆動器は前記昇降台と結合され、前記レールユニットは前記昇降台下方に設けられる。これにより、前記昇降台は、前記駆動器の押し引きによって前記レールユニットに沿って移動する。昇降台と前記第四輸送ベルトの距離を調整することにより、板紙の山がこれに応じて互い違いに配列される。
【００１２】
また或いは、前記第四輸送ベルトは、さらに移動歯車フレームと、滑車ユニットと、紙出力歯車ユニットと結合される。前記移動歯車フレームは、前記第四輸送ベルト末端に、前後可動に設けられる。滑車ユニットは、前記第四輸送ベルトの輸送ベルトが周設されるとともに、前固定滑車と、後固定滑車と、第一滑車と、第二滑車とからなる。前固定滑車と後固定滑車は、それぞれ前後の両端に設けられ、且つその間隔は固定されている。第一滑車は、前記移動歯車フレームに設けられる。第二滑車は、前記移動歯車フレームに設けられるとともに前記移動歯車フレームと相対して前後に移動する。紙出力歯車ユニットは、前記移動歯車フレームに設けられるとともに、前記第一滑車と隣接する。移動歯車フレームが前方或いは後方へ向かって移動した時、これに対応して前記第二滑車が位置を変えることにより、輸送ベルトが周設される径路が調節される。
【００１３】
傾斜装置は、さらに第三輸送ベルト前端と接続された第一昇降装置と、第四輸送ベルト後端と接続された第二昇降装置とからなることが望ましい。これにより、傾斜角度の制御が正確さを増す。
【００１４】
第一昇降装置は、第一昇降駆動装置と、第一歯車機構とからなることが望ましい。第一昇降駆動装置は、第一歯車機構と接続されて第一歯車機構に動力を提供する。第一歯車機構は、第一同期軸と、前記第一同期軸と接続された第一左歯車ユニット及び第一右歯車ユニットとからなる。第一左歯車ユニットはチェーンによって第三輸送ベルトの一側と接続され、第一右歯車は別のチェーンによって第三輸送ベルトの別の一側と接続される。第二昇降装置は、第二昇降駆動装置と、第二歯車機構とからなる。第二昇降駆動装置は、第二歯車機構と接続されて、第二歯車機構に動力を提供する。第二歯車機構は、第二同期軸と、前記第二同期軸と接続された第二左歯車ユニット及び第二右歯車ユニットとからなる。第二左歯車ユニットはチェーンによって第四輸送ベルトの一側と接続され、第二右歯車ユニットは別のチェーンによって第四輸送ベルトの別の一側と接続される。以上の構造により、角度の制御性が向上して輸送ベルトがより安定する。
【００１５】
昇降機構は、さらに４つのレールと、歯車ユニットと、駆動装置とからなることが望ましい。前記レールは、昇降台の外周に設けられる。歯車ユニットは、レールと結合されるとともに、チェーンによって昇降台と接続される。駆動装置は、歯車ユニットと接続される。
【００１６】
前後移動機構は、駆動器と、レールユニットとからなることが望ましい。前記駆動器は昇降台と結合され、レールユニットは昇降台下方に設けられることにより、昇降台は駆動器の押し引きによってレールユニットに沿って移動する。
【図面の簡単な説明】
【００１７】
【図１】本考案の実施例を示した立体図である。
【図２】本考案の実施例の動作を示した概略図である。
【図３】本考案の実施例の動作を示した概略図である。
【図４】本考案の実施例の動作を示した概略図である。
【図５】本考案の実施例の昇降台を示した俯瞰図である。
【図６】本考案の実施例の昇降台を示した側面図である。
【図７】本考案の実施例の昇降台をもう一つの角度から示した側面図である。
【図８】本考案の実施例の止め板の動作を示した概略図である。
【図９】本考案の実施例の止め板の動作を示した概略図である。
【図１０】本考案の実施例の止め板の動作を示した概略図である。
【図１１】本考案の実施例の第一昇降装置を示した断面図である。
【図１２】本考案の実施例の第二昇降装置を示した断面図である。
【図１３】本考案の実施例２における第四輸送ベルトを示した側面図である。
【図１４】本考案の実施例２における第四輸送ベルトを示した側面図である。
【図１５】図１３の第四輸送ベルトを示した俯瞰断面図である。
【考案を実施するための形態】
【００１８】
（実施例１）
図１を参照する。図は、本実施例の立体図である。
【００１９】
本実施例の板紙積重ね装置は、裁断し終えた板紙を運搬するために用いられるとともに、転送台１０と、前輸送ベルトユニット２０と、後輸送ベルトユニット３０と、傾斜装置４０と、昇降台５０と、止め板６０とからなる。
【００２０】
転送台１０は、裁断し終えた板紙を受け取るために用いられるとともに、板紙を載せて前輸送ベルトユニット２０の方へ向かって移動させる。
【００２１】
合わせて図２を参照する。前輸送ベルトユニット２０は、第一輸送ベルト２１と、第二輸送ベルト２２とからなる。第一輸送ベルト２１は、転送台１０と接続されるとともに、末端が前端よりも高い傾斜状を呈する。第二輸送ベルト２２は、第一輸送ベルト２１末端と接続されるとともに、第二輸送ベルト２２は末端が前端よりも高い傾斜状を呈し、且つ輸送速度が第一輸送ベルト２１よりも遅い。
【００２２】
後輸送ベルトユニット３０は、第三輸送ベルト３１と、第四輸送ベルト３２とからなる。第三輸送ベルト３１は、第二輸送ベルト２２末端に設けられる。第四輸送ベルト３２は、第三輸送ベルト３１末端と接続され、且つ輸送速度が第三輸送ベルト３１よりも速い。板紙は、前輸送ベルトユニット２０と後輸送ベルトユニット３０を経過した後、少なくとも一つの板紙の山Ｐを形成する。
【００２３】
図２から図４までを参照する。傾斜装置４０は、第三輸送ベルト３１及び第四輸送ベルト３２と接続されて、第三輸送ベルト３１及び第四輸送ベルト３２の傾斜角度を制御する。傾斜装置４０は、第一昇降装置４１と、第二昇降装置４２とからなる。第一昇降装置４１は第三輸送ベルト３１前端と接続され、第二昇降装置４２は第四輸送ベルト３２後端と接続される。第一昇降装置４１と第二昇降装置４２は、後輸送ベルトユニット３０の傾斜具合と第二昇降装置４２末端の位置を制御する。第一昇降装置４１と第二昇降装置４２は従来技術であるため、下記においては一種の構造のみを挙げるが、これによって制限されるものではないことを、先に断っておく。
【００２４】
図１１に示した第一昇降装置を参照する。第一昇降装置４１は、第一昇降駆動装置４１１と、第一歯車機構４１２とからなる。第一昇降駆動装置４１１は、第一歯車機構４１２と接続されて、第一歯車機構４１２が作動するための動力を提供する。第一同期軸４１３は、第一左歯車ユニット４１４及び第一右歯車ユニット４１５と接続される。第一左歯車ユニット４１４はチェーンによって第三輸送ベルト３１の一側と接続され、第一右歯車４１５は別のチェーンによって第三輸送ベルト３１の別の一側と接続されることにより、第三輸送ベルト３１前端の高さを制御することができるため、後続の配列輸送がスムーズになる。
【００２５】
図１２を参照する。第二昇降装置４２は、第二昇降駆動装置４２１と、第二歯車機構４２２とからなる。第二昇降駆動装置４２１は、第二歯車機構４２２と接続されて、第二歯車機構４２２に動力を提供する。第二歯車機構４２２は、第二同期軸４２３と、第二同期軸４２３と接続された第二左歯車ユニット４２４及び第二右歯車ユニット４２５とからなる。第二左歯車ユニット４２４はチェーンＬによって第四輸送ベルト３２の一側と接続され、第二右歯車ユニット４２５は別のチェーンＬによって第四輸送ベルト３２の別の一側と接続される。以上の構造により、第四輸送ベルト３２の高さを制御する。
【００２６】
図５、図６を参照する。昇降台５０は、第四輸送ベルト３２末端に隣接して設けられるとともに、昇降機構５１と前後移動機構５２とが結合されてなることにより、昇降及び前後移動を行う。
【００２７】
図２から図４まで、及び図８から図１０までを参照する。止め板６０は、昇降台５０上方に設けられるとともに、昇降台５０と相対して前後或いは上下に移動することにより、板紙の山を積重ねて配列するのを補助する。板紙は、後輸送ベルトユニット３０から出力された後、止め板６０に補助されて、整然と配列される。特に、止め板６０は、板紙の山Ｐの高度変化と一致するため、常に板紙の山Ｐにおける一側の最上方に位置する。加えて、止め板６０の位置調整によって、板紙の山Ｐを一定の出力数量に応じて互い違いに配列することが可能であるため、後続の作業員が整理をしやすくなる。
【００２８】
再び、図２から図４までを参照する。本実施例において、第四輸送ベルト３２末端と、板紙の山Ｐを載せていない昇降台５０の平面、或いは昇降台５０に載せられた板紙の山Ｐの頂端は、決められた高度差を維持する。また、昇降台５０は、板紙の山Ｐを載せた時、徐々に下降し、最下部に達するまで下降を続ける。さらに、第四輸送ベルト３２は、板紙の山の頂端の位置に合わせて、徐々に上昇する。本実施例の構造を利用することにより、板紙の山Ｐを安定的に徐々に積上げることができるため、積重ね過程において板紙がバラバラになることがない。このうち、本実施例で述べた高度差は、高度差ゼロの状態（即ち等高状態）を含むことを、ここで注記しておく。
【００２９】
続いて、図５から図７までを参照する。昇降機構５１は、４つのレール５１１と、歯車ユニット５１２と、駆動装置（図示せず）とからなる。レール５１１は、それぞれ昇降台５０の外周に設けられる。歯車ユニット５１２は、レール５１１と結合されるとともに、チェーンによって昇降台５０と接続される。駆動装置は、歯車ユニット５１２と接続される。以上の構造により、升降を操作することができる。
【００３０】
前後移動機構５２は、駆動器５２１と、レールユニット５２２とからなる。駆動器５２１は昇降台５０と結合され、レールユニット５２２は昇降台５０下方に設けられる。これにより、昇降台５０は、駆動器５２１の押し引きによってレールユニット５２２に沿って移動する。また、駆動器５２１は、空圧シリンダー或いは油圧シリンダー或いはモーターのいずれかである。
【００３１】
（実施例２）
図１３から図１５までを参照する。板紙の山Ｐを互い違いに配列するためには、前述の実施例１における昇降台５０と前後移動機構５２の組合せのほか、図１３から図１５に示した装置を第四輸送ベルト３２と結合して、第四輸送ベルト３２の位置を制御することによっても、同一の目的を達成することができる。この装置は、移動歯車フレーム７０と、滑車ユニット７１と、紙出力歯車ユニット７２とからなる。
【００３２】
移動歯車フレーム７０は、第四輸送ベルト３２末端に設けられるとともに、昇降台５０と相対して前後に移動する。
【００３３】
滑車ユニット７１は、第四輸送ベルト３２の輸送ベルトＢが周設されるとともに、前固定滑車７１１と、後固定滑車７１２と、第一滑車７１３と、第二滑車７１４とからなる。前固定滑車７１１と後固定滑車７１２は、それぞれ前後の両端に設けられ、且つその位置は固定されている。第一滑車７１３及び第二滑車７１４は、移動歯車フレーム７０に設けられる。紙出力歯車ユニット７２は、移動歯車フレーム７０に設けられるとともに、第一滑車７１３と隣接する。移動歯車フレーム７０が前後に移動した時、滑車ユニット７１が作動して、起点端が固定された輸送ベルトＢの末端を、歯車フレーム７０に沿って移動させる。輸送ベルトＢの調節と、移動歯車フレーム７０の位置移動により、輸送ベルトＢが板紙の山Ｐを送り続ける状態を維持することができる。
【００３４】
移動歯車フレーム７０の位置は、図における左方から右方へと移動する。また、移動歯車フレーム７０上にある紙出力歯車ユニット７２と止め板６０の間隔は紙のサイズに合わせて固定されるため、止め板６０が移動歯車フレーム７０と同等の方向及び距離に移動する。これにより、板紙が定められた位置に積重ねて配列される。板紙の山Ｐは出力される時、まず止め板６０の補助により揃えられて昇降台５０に積重ねられる。板紙の山Ｐが定められた枚数或いは高さに達した後、移動歯車フレーム７０と止め板６０は、図における右側に向かって移動して、後続で出力される板紙の山と先に出力された板紙の山Ｐを互い違いの状態にした後、再び左方の位置に戻る。これにより、後続における分別包装の作業がしやすくなる。もちろん、昇降台５０は上述の作動方法に基づいて、徐々に下降して第四輸送ベルト３２上の板紙の山Ｐと一定の高度差を維持する。昇降台５０が最下部まで下降した後は、第四輸送ベルト３２の高さを変えることによって高度差を維持する。
【００３５】
また、移動歯車フレーム７０の移動は、駆動装置７０１によって、互いに噛みあった駆動歯車７３と移動歯車フレーム７０におけるラック７３１が連動されることにより、移動歯車フレーム７０の前後移動を制御することができる。但し、前述した移動方法は一例にすぎず、これによって制限されるものではない。
【符号の説明】
【００３６】
１０   転送台
２０   前輸送ベルトユニット
２１   第一輸送ベルト
２２   第二輸送ベルト
３０   後輸送ベルトユニット
３１   第三輸送ベルト
３２   第四輸送ベルト
４０   傾斜装置
４１   第一昇降装置
４１１ 第一昇降駆動装置
４１２ 第一歯車機構
４１３ 第一同期軸
４１４ 第一左歯車ユニット
４１５ 第一右歯車ユニット
４２   第二昇降装置
４２１ 第二昇降駆動装置
４２２ 第二歯車機構
４２３ 第二同期軸
４２４ 第二左歯車ユニット
４２５ 第二右歯車ユニット
５０   昇降台
５１   昇降機構
５１１ レール
５１２ 歯車ユニット
５２   前後移動機構
５２１ 駆動器
５２２ レールユニット
６０   止め板
Ｐ            板紙の山
Ｌ            チェーン
Ｂ            輸送ベルト
７０   移動歯車フレーム
７０１  駆動装置
７１   滑車ユニット
７１１ 前固定滑車
７１２ 後固定滑車
７１３ 第一滑車
７１４ 第二滑車
７２   紙出力歯車ユニット
７３   駆動歯車
７３１ ラック
【図１】
0003189717.tif 000003
【図２】
0003189717.tif 000004
【図３】
0003189717.tif 000005
【図４】
0003189717.tif 000006
【図５】
0003189717.tif 000007
【図６】
0003189717.tif 000008
【図７】
0003189717.tif 000009
【図８】
0003189717.tif 000010
【図９】
0003189717.tif 000011
【図１０】
0003189717.tif 000012
【図１１】
0003189717.tif 000013
【図１２】
0003189717.tif 000014
【図１３】
0003189717.tif 000015
【図１４】
0003189717.tif 000016
【図１５】
0003189717.tif 000017